(57)【要約】  基地局（１０）は、指向性ビームの照射範囲であるビームスポット（１）内の端末（２０）が受信品質を測定するための参照信号（２）を、複数のビームスポット（１）に送信可能であり、複数のビームスポット（１）のうち１つ以上のビームスポット（１）で構成されるビームスポットグループ（３）に同時に参照信号（２）を送信可能な通信部（１２）と、複数のビームスポットグループ（３）のうち、隣接する照射範囲を含むビームスポットグループ（３）に参照信号（２）を送信するタイムスロットを連続させる制御部（１４）と、を備えることを特徴とする。
2019163139.tif 000002
【特許請求の範囲】
【請求項１】
指向性ビームの照射範囲であるビームスポット内の端末が受信品質を測定するための参照信号を、複数の前記ビームスポットに送信可能であり、複数の前記ビームスポットのうち１つ以上のビームスポットで構成されるビームスポットグループに同時に前記参照信号を送信可能な通信部と、
複数の前記ビームスポットグループのうち、隣接する前記照射範囲を含む前記ビームスポットグループに前記参照信号を送信するタイムスロットを連続させる制御部と、
を備えることを特徴とする基地局。
【請求項２】
前記制御部は、前記端末が複数の前記参照信号の受信品質を測定するタイミングを前記端末に通知することを特徴とする請求項１に記載の基地局。
【請求項３】
前記制御部は、前記端末に前記参照信号の測定周期を通知するパラメータ変更メッセージを用いて、前記端末に設定される前記測定周期を、複数の前記端末に共通する測定周期に変更させることを特徴とする請求項１に記載の基地局。
【請求項４】
前記制御部は、前記端末が前記参照信号を測定する測定周期を、前記端末の初期補足のために前記通信部が定期的に照射するサーチビームの送信周期に基づいて調整することを特徴とする請求項１に記載の基地局。
【請求項５】
前記制御部は、前記測定周期を、前記サーチビームの送信周期の倍数とすることを特徴とする請求項４に記載の基地局。
【請求項６】
前記制御部は、前記測定周期が前記サーチビームの送信周期の倍数でない場合、前記測定周期を前記サーチビームの送信周期の倍数となるように調整し、調整後の前記測定周期を前記端末に通知することを特徴とする請求項４または５に記載の基地局。
【請求項７】
前記制御部は、間欠受信中の前記端末が測定するビームスポット数を、間欠受信を行っていない通常時よりも増やすことを特徴とする請求項１に記載の基地局。
【請求項８】
前記制御部は、間欠受信中の前記端末が参照信号を測定する測定周期を、前記ビームスポット数の増加数と、前記通常時の測定周期と、前記端末の移動速度とのうちの少なくとも１つに基づいて決定し、決定した前記測定周期を前記端末に通知することを特徴とする請求項７に記載の基地局。
【請求項９】
前記制御部は、前記端末を間欠受信モードに切り替えることを要求するメッセージに応じて、前記端末が参照信号を測定する測定周期と、前記端末が測定するビームスポット数とを、通常時とは変えることを特徴とする請求項１に記載の基地局。
【請求項１０】
前記制御部は、ビームスポットグループ単位で、前記端末が測定するビームスポットを通知することを特徴とする請求項９に記載の基地局。
【請求項１１】
前記ビームスポットグループは、前記照射範囲が隣接する複数のビームスポットを含むことを特徴とする請求項１に記載の基地局。
【請求項１２】
基地局が、指向性ビームの照射範囲であるビームスポット内の端末が受信品質を測定するための参照信号を、複数のビームスポットに送信するステップと、
前記端末が、前記参照信号の受信品質を測定して測定結果を前記基地局に送信するステップと、
を含み、
前記基地局は、前記参照信号を複数のビームスポットに送信するとき、同時に前記参照信号を送信する複数の前記ビームスポットから構成される複数のビームスポットグループのうち、隣接する前記照射範囲を含む前記ビームスポットグループに前記参照信号を送信するタイムスロットを連続させることを特徴とする無線通信方法。
【発明の詳細な説明】
【技術分野】
【０００１】
本発明は、指向性ビームを用いて通信を行う基地局および無線通信方法に関する。
【背景技術】
【０００２】
指向性ビームを用いて通信を行う技術では、適切な角度に指向性ビームを向けた場合、高い受信品質を得ることができ、指向性ビームの角度が不適切である場合、データ通信に必要な受信品質を得ることができないビーム接続障害が発生することがある。適切な角度を推定するために、基地局が指向性ビームを３次元的に走査するビームサーチと呼ばれる方法が知られている。ビームサーチでは、基地局が互いに異なる複数の角度に指向性ビームを順番に照射して参照信号を送信する。端末は、受信した参照信号を用いて、それぞれの角度の指向性ビームを用いた通信の受信品質を示す受信品質情報を基地局に送信する。基地局は、端末からフィードバックされる受信品質情報に基づいて、端末が在圏するビームスポットを推定する。なおビームスポットとは、基地局が照射する指向性ビームの照射範囲である。【０００３】
非特許文献１には、過去に角度推定済みの端末に対して、端末の移動に合わせて指向性ビームを追従させるビームトラッキングと、ビームサーチとを併用した通信システムが開示されている。このシステムでは、基地局が角度推定済みの端末が存在するエリアの周辺に、複数の異なる角度の指向性ビームを順番に照射し、端末からフィードバックされる受信品質情報に基づいて、受信品質が良好な指向性ビームの角度を判断している。
【先行技術文献】
【非特許文献】
【０００４】
【非特許文献１】Yuki  Inoue,  et  al.,  “Experimental  Evaluation  of  Downlink  Transmission  and  Beam  Tracking  Performance  for  5G  mmW  Radio  Access  in  Indoor  Shielded  Environment”,  IEEE  PIMRC,  Sep.  2015
【発明の概要】
【発明が解決しようとする課題】
【０００５】
しかしながら、上記非特許文献１に開示されたシステムでは、端末が在圏するビームスポットを基地局に知らせるために、間欠受信中の端末であっても、参照信号を定期的に測定して受信品質をフィードバックする必要がある。ビーム接続障害を防ぐためには、測定するビームスポット数を増やして、高い頻度で参照信号の測定を行うことが望ましい。測定するビームスポット数が増えるほど、参照信号の測定を行うために端末を起動している時間が長くなり、端末の消費電力が増大するという問題があった。【０００６】
本発明は、上記に鑑みてなされたものであって、端末の消費電力の増大を抑制することが可能な基地局を得ることを目的とする。
【課題を解決するための手段】
【０００７】
上述した課題を解決し、目的を達成するために、本発明の基地局は、指向性ビームの照射範囲であるビームスポット内の端末が受信品質を測定するための参照信号を、複数のビームスポットに送信可能であり、複数のビームスポットのうち１つ以上のビームスポットで構成されるビームスポットグループに同時に参照信号を送信可能な通信部と、複数のビームスポットグループのうち、隣接する照射範囲を含むビームスポットグループに参照信号を送信するタイムスロットを連続させる制御部と、を備えることを特徴とする。
【発明の効果】
【０００８】
本発明にかかる基地局は、端末の消費電力の増大を抑制することが可能であるという効果を奏する。
【図面の簡単な説明】
【０００９】
【図１】本発明の実施の形態１にかかる無線通信システムの構成を示す図
【図２】図１に示す基地局の構成を示す図
【図３】図１に示す端末の構成を示す図
【図４】図２に示す基地局および図３に示す端末を実現するハードウェア構成の第１の例を示す図
【図５】図２に示す基地局および図３に示す端末を実現するハードウェア構成の第２の例を示す図
【図６】図１に示す無線通信システムが通信を開始する動作を示すシーケンス図
【図７】図１に示す基地局が形成するビームスポットを示す図
【図８】図７に示すビームスポットに基地局が参照信号を送信するタイミングを示す図
【図９】図１に示す端末が動作モードを切り替える動作を示すシーケンス図
【図１０】本発明の第１の実施の形態にかかる基地局が参照信号を送信する方法を示す図
【図１１】図１０に示す基地局が複数のビームスポットグループのそれぞれに参照信号を送信するために使用するタイミングを示す図
【図１２】本発明の第１の実施の形態にかかる基地局が参照信号を送信する方法の変形例を示す図
【図１３】図１２に示す基地局が複数のビームスポットグループのそれぞれに参照信号を送信するために使用するタイミングを示す図
【図１４】本発明の実施の形態１にかかる端末が参照信号を測定するビームスポットの第１の例を示す図
【図１５】図１４に示す端末が通常モードで動作しているときに、基地局が参照信号を送信するタイミングと、端末の状態とを示す図
【図１６】図１４に示す端末が間欠受信モードで動作しているときに、基地局が参照信号を送信するタイミングと、端末の状態とを示す図
【図１７】本発明の実施の形態１にかかる端末が参照信号を測定するビームスポットの第２の例を示す図
【図１８】図１７に示す端末が間欠受信モードで動作しているときに、基地局が参照信号を送信するタイミングと、端末の状態との第１の例を示す図
【図１９】図１７に示す端末が間欠受信モードで動作しているときに、基地局が参照信号を送信するタイミングと、端末の状態との第２の例を示す図
【図２０】本発明の実施の形態１にかかる端末が参照信号を測定するビームスポットの第３の例を示す図
【図２１】図２０に示す端末が間欠受信モードで動作しているときに、基地局が参照信号を送信するタイミングと端末の状態とを示す図
【図２２】図１に示す端末が間欠受信モードに移行するときの基地局の動作を示すフローチャート
【図２３】図１に示す端末が間欠受信モードに移行するときの端末の動作を示すフローチャート
【図２４】図１に示す基地局が端末の参照信号測定周期を決定する動作を示すフローチャート
【図２５】図１に示す端末の参照信号測定周期について説明するための図
【図２６】図２５に示す基地局の通信タイミングと端末の状態とを示す図
【発明を実施するための形態】
【００１０】
以下に、本発明の実施の形態にかかる基地局および無線通信方法を図面に基づいて詳細に説明する。なお、この実施の形態によりこの発明が限定されるものではない。
【００１１】
実施の形態１．
図１は、本発明の実施の形態１にかかる無線通信システム１００の構成を示す図である。無線通信システム１００は、基地局１０と、端末２０とを含む。基地局１０は、指向性ビームを用いて端末２０と通信することができる。指向性ビームが照射される範囲のそれぞれは、ビームスポット１−１，１−２，１−３と呼ばれる。
【００１２】
以下、複数のビームスポット１−１，１−２，１−３のそれぞれを区別する必要がない場合、単にビームスポット１と称することがある。なお、以下の説明中において、複数のビームスポット１のそれぞれをビームスポット１−１，１−２，１−３と称するように、同様の機能を有する複数の構成要素のそれぞれを区別する場合、共通の符号の後にハイフンに続いて異なる数字を付して示すことがある。
【００１３】
基地局１０が指向性ビームを照射する範囲である複数のビームスポット１−１，１−２，１−３は、基地局１０のカバレッジエリアＣＡを形成している。基地局１０は、ビームスポット１−１，１−２，１−３に対して、１つ以上の指向性ビームを用いてビームサーチ、ビームトラッキングなどを行い、端末２０が在圏するビームスポット１を推定することができる。
【００１４】
図２は、図１に示す基地局１０の構成を示す図である。基地局１０は、複数のアンテナ１１と、通信部１２と、復調部１３と、制御部１４と、変調部１５と、ビーム制御部１６とを有する。
【００１５】
通信部１２は、アンテナ１１を介して受信した信号を復調部１３に出力すると共に、変調部１５から入力される信号をアンテナ１１を介して送信することができる。このとき通信部１２は、複数のアンテナ１１を用いて形成する指向性ビームを照射して、指向性ビームが形成するビームスポット１内の端末２０と信号の送受信をすることができる。このとき照射する指向性ビームの角度は、ビーム制御部１６から指示される。
【００１６】
復調部１３は、通信部１２から入力される信号に復調などの受信処理を行い、復調後の信号を制御部１４に出力する。制御部１４は、復調部１３から入力される信号から取出した情報をビーム制御部１６に出力すると共に、基地局１０の外部に送信する信号を変調部１５に出力する。変調部１５は、制御部１４から入力される信号に変調などの送信処理を行い、変調後の信号を通信部１２に出力する。ビーム制御部１６は、制御部１４から入力される情報に基づいて、通信部１２が通信を行うときに指向性ビームを向ける角度を算出し、算出した角度を通信部１２に指示する。
【００１７】
図３は、図１に示す端末２０の構成を示す図である。端末２０は、アンテナ２１と、通信部２２と、復調部２３と、レベル測定部２４と、処理部２５と、制御部２６と、変調部２７とを有する。
【００１８】
通信部２２は、アンテナ２１を介して受信した信号を復調部２３に出力すると共に、変調部２７から入力される信号をアンテナ２１を介して送信することができる。復調部２３は、通信部２２が出力する信号に復調などの受信処理を行い、復調後の信号をレベル測定部２４および処理部２５の少なくとも１つに出力する。レベル測定部２４は、復調部２３から入力される信号、具体的には、基地局１０が送信した参照信号の受信品質を測定する。レベル測定部２４は、測定した受信品質を示す情報を処理部２５に出力する。処理部２５は、復調部２３から入力される信号およびレベル測定部２４から入力される情報を制御部２６が取り扱うことのできる形式に変換して制御部２６に出力すると共に、制御部２６から入力される情報を、送信信号に変換して変調部２７に出力する。
【００１９】
制御部２６は、処理部２５から入力される情報に基づいて、端末２０の制御を行うことができる。また制御部２６は、基地局１０など端末２０以外の装置に送信する情報を処理部２５に出力する。変調部２７は、処理部２５から入力される送信信号に変調などの送信処理を行って、送信処理後の信号を通信部２２に出力する。
【００２０】
続いて、基地局１０および端末２０の機能を実現するためのハードウェア構成について説明する。図４は、図２に示す基地局１０および図３に示す端末２０を実現するハードウェア構成の第１の例を示す図である。図５は、図２に示す基地局１０および図３に示す端末２０を実現するハードウェア構成の第２の例を示す図である。
【００２１】
例えば、基地局１０および端末２０は、図４に示すように、処理回路３１と、送信機３２と、受信機３３と、アンテナ装置３４とを用いて実現することができる。また基地局１０および端末２０は、図５に示すように、送信機３２と、受信機３３と、アンテナ装置３４と、プロセッサ３５と、メモリ３６とを用いて実現することができる。
【００２２】
処理回路３１は、専用のハードウェアであり、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものである。
【００２３】
送信機３２は、外部装置に信号を送信するための送信処理を行う。受信機３３は、外部装置から信号を受信するための受信処理を行う。アンテナ装置３４は、高周波エネルギーを電磁波に変換して空間に放射したり、空間の電磁波を高周波エネルギーに変換したりする装置である。
【００２４】
プロセッサ３５は、ＣＰＵ（Central  Processing  Unit、中央処理装置、処理装置、演算装置、マイクロプロセッサ、マイクロコンピュータ、プロセッサ、ＤＳＰ（Digital  Signal  Processor）ともいう）、システムＬＳＩ（Large  Scale  Integration）などである。
【００２５】
メモリ３６は、ＲＡＭ（Random  Access  Memory）、ＲＯＭ（Read  Only  Memory）、フラッシュメモリー、ＥＰＲＯＭ（Erasable  Programmable  Read  Only  Memory）、ＥＥＰＲＯＭ（登録商標）（Electrically  Erasable  Programmable  Read−Only  Memory）等の、不揮発性または揮発性の半導体メモリ、磁気ディスク、フレキシブルディスク、光ディスク、コンパクトディスク、ミニディスクまたはＤＶＤ（Digital  Versatile  Disc）等である。メモリ３６は、プロセッサ３５が実行する各種のソフトウェア、ファームウェアなどのコンピュータプログラム、プロセッサ３５がコンピュータプログラムの実行中に生成する各種のデータなどを記憶することができる。
【００２６】
図２に示すアンテナ１１および図３に示すアンテナ２１は、アンテナ装置３４を用いて実現することができる。また図２に示す通信部１２および図３に示す通信部２２は、送信機３２および受信機３３を用いて実現することができる。
【００２７】
図２に示す基地局１０の復調部１３、制御部１４、変調部１５およびビーム制御部１６と、図３に示す端末２０の復調部２３、レベル測定部２４、処理部２５、制御部２６および変調部２７とは、例えば、専用のハードウェアである処理回路３１を用いて実現することができる。また、図２に示す基地局１０の復調部１３、制御部１４、変調部１５およびビーム制御部１６と、図３に示す端末２０の復調部２３、レベル測定部２４、処理部２５、制御部２６および変調部２７とは、メモリ３６に記憶されたコンピュータプログラムをプロセッサ３５が読み出して実行することにより、実現することもできる。或いは、図２に示す基地局１０の復調部１３、制御部１４、変調部１５およびビーム制御部１６と、図３に示す端末２０の復調部２３、レベル測定部２４、処理部２５、制御部２６および変調部２７とは、一部を専用のハードウェアで実現し、残りをソフトウェア、ファームウェア、またはソフトウェアとファームウェアとの組み合わせで実現してもよい。
【００２８】
図６は、図１に示す無線通信システム１００が通信を開始する動作を示すシーケンス図である。基地局１０がビームサーチおよびビームトラッキングの少なくとも１つを行う場合、基地局１０は、カバレッジエリアＣＡに在圏する端末２０に対して、定期的に参照信号を送信する（ステップＳ１０１）。具体的には、基地局１０の通信部１２は、指向性ビームの角度を切り替えながら、参照信号を複数のビームスポット１に送信する。端末２０は、１つ以上の参照信号の受信品質を測定し（ステップＳ１０２）、測定した受信品質を示す受信品質情報を生成して、生成した受信品質情報を基地局１０に送信する（ステップＳ１０３）。受信品質情報は、指向性ビームの角度を特定するためのビームＩＤ、受信品質を示す値などを含む。
【００２９】
基地局１０は、端末２０からフィードバックされた受信品質情報に基づいて、端末２０と通信するために使用する指向性ビームの角度を選択するビーム選択を行う（ステップＳ１０４）。基地局１０および端末２０は、選択された角度の指向性ビームを使用して、データ伝送を開始する（ステップＳ１０５）。
【００３０】
なお、ビームサーチは、新たにカバレッジエリアＣＡに侵入した端末２０の在圏ビームスポットを推定したり、ビーム接続障害が発生した端末２０が再び基地局１０とデータ伝送を開始したりする際に実行される。ビームトラッキングは、過去に使用する指向性ビームの角度が選択された端末２０に対して、端末２０の移動に合わせて指向性ビームを追従させるために実行される。
【００３１】
図７は、図１に示す基地局１０が形成するビームスポット１−４〜１−７を示す図である。図８は、図７に示すビームスポット１−４〜１−７に基地局１０が参照信号を送信するタイミングを示す図である。
【００３２】
図８では、基地局１０が１本の指向性ビームの角度を切り替えながら、複数のビームスポット１−４〜１−７に順次、指向性ビームを照射する例が示されている。図８に示す参照信号２−１は、図７に示すビームスポット１−４に送信され、参照信号２−２はビームスポット１−５に送信され、参照信号２−３はビームスポット１−６に送信され、参照信号２−４はビームスポット１−７に送信される。上記のように、参照信号２−１〜２−４のそれぞれは、時分割で複数のビームスポット１−４〜１−７のそれぞれに送信される。参照信号２−１〜２−４が送信されていない期間は、未使用のリソースであり、データ通信などに使用することもある。基地局１０が複数の指向性ビームを同時に照射する場合、基地局１０は、複数のビームスポット１−４〜１−７のそれぞれに異なるシンボルを用いて参照信号を送信することもできる。
【００３３】
端末２０は、複数の動作モード、例えば、通常モードに加えて、消費電力が通常モードよりも低い間欠受信モードで動作することもできる。上記のビームサーチまたはビームトラッキング動作は、端末２０が通常モードで動作しているときだけでなく、間欠受信モードで動作している場合にも実施されることがある。
【００３４】
図９は、図１に示す端末２０が動作モードを切り替える動作を示すシーケンス図である。基地局１０は、端末２０に間欠受信有効化メッセージを送信する（ステップＳ２０１）。間欠受信有効化メッセージは、Power  Preference  Indicator有効化メッセージとも呼ばれ、消費電力低減の必要性を基地局１０に通知する機能を有効化するためのメッセージである。
【００３５】
端末２０は、間欠受信有効化メッセージを受信すると、間欠受信モードに移行することが可能になる。端末２０は、例えば、端末２０のユーザが端末２０を操作中であるか否か、端末２０の内部処理が実行中であるか否かなどに基づいて、間欠受信モードに移行するか否かを判断する。予め定められた条件が満たされると、端末２０は、間欠受信モードに移行する（ステップＳ２０２）。端末２０は、間欠受信モードに移行すると、端末２０の動作モードを通知するためのモード通知メッセージを基地局１０に送信する（ステップＳ２０３）。
【００３６】
基地局１０は、モード通知メッセージを受信すると、モード通知メッセージが示す端末２０の動作モードに合わせて、端末２０の無線パラメータを生成する。ここでは端末２０は間欠受信モードであるため、基地局１０は、間欠受信モード用無線パラメータを生成して、生成した間欠受信モード用無線パラメータを端末２０に送信する（ステップＳ２０４）。
【００３７】
端末２０は、通常モードに移行するか否かの判断を行い、予め定められた条件を満たした場合、通常モードに移行する（ステップＳ２０５）。端末２０は、動作モードを切り替えると、端末２０の動作モードを通知するためのモード通知メッセージを再び基地局１０に送信する（ステップＳ２０６）。
【００３８】
基地局１０は、モード通知メッセージを受信すると、モード通知メッセージが示す動作モードに合わせて、端末２０の無線パラメータを生成する。ここでは端末２０は通常モードであるため、基地局１０は、通常モード用無線パラメータを生成して、生成した通常モード用無線パラメータを端末２０に送信する（ステップＳ２０７）。
【００３９】
なお、基地局１０が通知する無線パラメータは、端末２０が測定するビームスポットの数、端末２０が測定するビームスポットを識別するＩＤ、端末２０がビームスポットを測定する周期、端末２０が変更後の無線パラメータを用いた処理を開始するタイミング、間欠受信の周期の長さ、端末２０が起動するタイミング、端末２０が起動する間隔などが含まれる。また、間欠受信中の端末２０が測定するビームスポット数、ビームスポットを識別するＩＤの代わりに、ビームスポットグループ数、ビームスポットグループを識別するＩＤが含まれてもよい。ビームスポットグループは、同時に参照信号が送信される１つ以上のビームスポットから構成される。間欠受信中の端末２０が測定するビームスポット数、ビームスポットを識別するＩＤの代わりに、ビームスポットグループ数、ビームスポットグループを識別するＩＤを用いる場合、無線パラメータを通知するメッセージを短くすることができ、リソースを節約することができる。
【００４０】
図１０は、本発明の第１の実施の形態にかかる基地局１０が参照信号を送信する方法を示す図である。基地局１０は、カバレッジエリアＣＡ内の複数のビームスポット１を複数のビームスポットグループ３−１〜３−４に分ける。カバレッジエリアＣＡ内に２０個のビームスポット１を有する基地局１０では、基地局１０が同時に照射可能な指向性ビームの本数が５本である場合、４回のタイミングまたはシンボルに分けて参照信号を送信する。この場合のビームスポットグループ３は、基地局１０から同時に参照信号が送信される、５つのビームスポット１から構成された４つのビームスポットグループ３である。
【００４１】
図１０に示す例では、ビームスポットグループ３−１〜３−４は、基地局１０から近い方からビームスポットグループ３−１、３−２、３−３、３−４の順に並んでいる。基地局１０は、複数のビームスポットグループ３のうちの隣接するビームスポットグループ３に参照信号２を送信するタイムスロットを連続させる。隣接するビームスポットグループ３とは、例えば、ビームスポットグループ３−１とビームスポットグループ３−２、ビームスポットグループ３−２とビームスポットグループ３−３、ビームスポットグループ３−３とビームスポットグループ３−４の関係である。つまり、基地局１０が照射する指向性ビームの照射範囲が隣接している関係である。参照信号２を送信するタイムスロットを連続させるとは、時分割で参照信号２を送信する際に、参照信号２を送信する順序が１番目と２番目、２番目と３番目、３番目と４番目のように連続している状態にし、且つ、使用するタイムスロットが連続している状態にすることである。
【００４２】
基地局１０は、参照信号２を、ビームスポットグループ３−１、ビームスポットグループ３−２、ビームスポットグループ３−３、ビームスポットグループ３−４の順番で送信することができる。また基地局１０は、参照信号２を、ビームスポットグループ３−４、ビームスポットグループ３−３、ビームスポットグループ３−２、ビームスポットグループ３−１の順番で送信してもよい。
【００４３】
図１１は、図１０に示す基地局１０が複数のビームスポットグループ３のそれぞれに参照信号２を送信するために使用するタイミングを示す図である。参照信号２−６は、ビームスポットグループ３−１に送信され、参照信号２−７は、ビームスポットグループ３−２に送信され、参照信号２−８は、ビームスポットグループ３−３に送信され、参照信号２−９は、ビームスポットグループ３−４に送信される。
【００４４】
基地局１０が、参照信号２を、ビームスポットグループ３−１、ビームスポットグループ３−２、ビームスポットグループ３−３、ビームスポットグループ３−４の順番で送信した場合、参照信号２−６、参照信号２−７、参照信号２−８、参照信号２−９の順番で送信される。また基地局１０が、参照信号２を、ビームスポットグループ３−４、ビームスポットグループ３−３、ビームスポットグループ３−２、ビームスポットグループ３−１の順番で送信した場合、参照信号２−９、参照信号２−８、参照信号２−７、参照信号２−６の順番で送信される。上記のような送信順とすることで、隣接するビームスポットグループ３に参照信号２を送信するタイミング、シンボルを隣接させることができる。
【００４５】
端末２０は、基地局１０から複数のビームスポット１を測定するよう指定された場合、起動してから、全てのビームスポット１への指向性ビームが照射されるまで起動状態を保つ必要がある。このため、間欠受信モードでは、端末２０の起動状態を保つ時間を短くするほど、端末２０の消費電力を低減することができる。例えば、基地局１０がビームスポットグループ３−２に在圏している端末２０−１をビームトラッキングする場合、基地局１０は、端末２０−１に、在圏中のビームスポットグループ３−２に加えて、ビームスポットグループ３−２と近い複数のビームスポットグループ３−１，３−３への参照信号２−６，２−７，２−８の受信品質を測定するように指示をする。この場合、端末２０が測定する参照信号２−６，２−７，２−８は時間軸上で連続して送信されるため、端末２０が起動状態を保つ時間を短くすることができる。同様に、ビームスポットグループ３−３に在圏している端末２０−２は、ビームスポットグループ３−２，３−３，３−４への参照信号２−７，２−８，２−９の受信品質を測定する。参照信号２−７，２−８，２−９もまた時間軸上で連続して送信されるため、端末２０が起動状態を保つ時間を短くすることができる。
【００４６】
図１２は、本発明の第１の実施の形態にかかる基地局１０が参照信号を送信する方法の変形例を示す図である。図１２に示す変形例では、図１０に示す例とビームスポットグループ３の分け方が異なる。基地局１０は、カバレッジエリアＣＡ内の複数のビームスポット１を複数のビームスポットグループ３−５〜３−８に分ける。ビームスポットグループ３−５〜３−８は、基地局１０に向かって左からビームスポットグループ３−５，３−６，３−７，３−８の順番で並んでいる。
【００４７】
基地局１０は、複数のビームスポットグループ３のうちの隣接するビームスポットグループ３に参照信号を送信するタイムスロットを連続させる。隣接するビームスポットグループ３とは、例えば、ビームスポットグループ３−５とビームスポットグループ３−６、ビームスポットグループ３−６とビームスポットグループ３−７、ビームスポットグループ３−７とビームスポットグループ３−８の関係である。つまり、基地局１０が照射する指向性ビームの照射範囲が隣接している関係である。
【００４８】
図１２に示す変形例では、基地局１０は、ビームスポットグループ３−５、ビームスポットグループ３−６、ビームスポットグループ３−７、ビームスポットグループ３−８の順番で参照信号２を送信する。また基地局１０は、ビームスポットグループ３−８、ビームスポットグループ３−７、ビームスポットグループ３−６、ビームスポットグループ３−５の順番で参照信号２を送信する。
【００４９】
図１３は、図１２に示す基地局１０が複数のビームスポットグループ３のそれぞれに参照信号２を送信するために使用するタイミングを示す図である。参照信号２−１０は、ビームスポットグループ３−５に送信され、参照信号２−１１は、ビームスポットグループ３−６に送信され、参照信号２−１２は、ビームスポットグループ３−７に送信され、参照信号２−１３は、ビームスポットグループ３−８に送信される。
【００５０】
基地局１０が、参照信号２を、ビームスポットグループ３−５、ビームスポットグループ３−６、ビームスポットグループ３−７、ビームスポットグループ３−８の順番で送信した場合、参照信号２−１０、参照信号２−１１、参照信号２−１２、参照信号２−１３の順番で送信される。また基地局１０が、参照信号２を、ビームスポットグループ３−８、ビームスポットグループ３−７、ビームスポットグループ３−６、ビームスポットグループ３−５の順番で送信した場合、参照信号２−１３、参照信号２−１２、参照信号２−１１、参照信号２−１０の順番で送信される。上記のような送信順とすることで、隣接するビームスポットグループ３に参照信号２を送信するタイミングおよびシンボルを隣接させることができる。
【００５１】
ビームスポットグループ３−６に在圏している端末２０−１は、基地局１０からの指示に従って、ビームスポットグループ３−５，３−６，３−７への参照信号２−１０，２−１１，２−１２の受信品質を測定する。参照信号２−１０，２−１１，２−１２は、時間軸上で連続して送信されるため、端末２０が起動状態を保つ時間を短くすることができる。またビームスポットグループ３−７に在圏している端末２０−２は、基地局１０からの指示に従って、ビームスポットグループ３−６，３−７，３−８への参照信号２−１１，２−１２，２−１３の受信品質を測定する。参照信号２−１１，２−１２，２−１３もまた時間軸上で連続して送信されるため、端末２０が起動状態を保つ時間を短くすることができる。
【００５２】
以上説明したように、隣接するビームスポットグループ３へ参照信号２を送信するタイムスロットを連続させることで、端末２０は、複数のビームスポットグループ３への参照信号２の受信品質を測定する場合であっても、端末２０が起動状態を保つ時間を短くすることができる。この場合、測定する参照信号２の数を増やして端末２０の位置推定精度を向上させることができると、参照信号２の測定周期を伸ばすことができ、端末２０が起動状態を保つ時間をさらに短くすることができる、という効果が得られる。このような効果について以下説明を行う。
【００５３】
図１４は、本発明の実施の形態１にかかる端末２０が参照信号２を測定するビームスポット１の第１の例を示す図である。図１４に示す例では、端末２０は、ビームスポット１−１３に在圏しており、ビームスポット１−１３に加えて、ビームスポット１−１３と隣接するビームスポット１−１１，１−１２，１−１４，１−１５への参照信号２を測定する。
【００５４】
図１５は、図１４に示す端末２０が通常モードで動作しているときに、基地局１０が参照信号を送信するタイミングと、端末２０の状態とを示す図である。基地局１０は、一定の周期で参照信号２を送信している。端末２０は、通常モードであるため、常に起動状態を保っている。端末２０は、基地局１０から指示されたタイミングで、参照信号２の受信品質を測定する信号測定処理を行う。また端末２０は、信号測定処理の準備、データ伝送などの準備処理を、信号測定処理の前後のタイミングで実行している。この場合、ビーム接続障害が発生しないように、頻繁に少ない数のビームスポット１への参照信号２の受信品質を測定することになる。
【００５５】
図１６は、図１４に示す端末２０が間欠受信モードで動作しているときに、基地局１０が参照信号を送信するタイミングと、端末２０の状態とを示す図である。基地局１０は、図１５と同様に一定の周期で参照信号２を送信している。端末２０は、参照信号２の信号測定処理を行う時間と、信号測定処理の前後に準備処理を行う時間とを合わせた時間Ｔ１の間だけ、起動状態としている。この場合、参照信号２は一定の周期で送信されるため、この送信周期に合わせた周期Ｔ１１で端末２０が起動状態となる。
【００５６】
端末２０が起動する周期を長くするために、端末２０が全ての参照信号２でなく１つ飛ばし、２つ飛ばしなど参照信号２を間引いて測定することが考えられる。しかしながらこの場合には、間欠受信モードでは、基地局１０が照射するビームスポット１から端末２０が外れてしまい、ビーム接続障害が発生することがある。間欠受信中の端末２０がビーム接続障害となってしまうと、基地局１０は、端末２０がカバレッジエリアＣＡ内に在圏しているのか、在圏していないのか判別が困難となり、端末２０とデータ伝送を行うことができなくなってしまう。そこで、本実施の形態では、ビーム接続障害の発生を防ぐために、測定するビームスポット１の数を増やしている。測定対象のビームスポット１の数を増やすことで、間欠受信中の端末２０が参照信号の受信品質を測定する測定周期を伸ばすことが可能になる。
【００５７】
図１７は、本発明の実施の形態１にかかる端末２０が参照信号２を測定するビームスポット１の第２の例を示す図である。第２の例では、図１４に示す第１の例よりも、端末２０が測定するビームスポット１の数を増やしている。具体的には、端末２０は、在圏しているビームスポット１−２３に加えて、在圏しているビームスポット１−２３の周辺１７個のビームスポット１−２１，１−３１，１−４１，１−５１，１−２２，１−３２，１−３３，１−４３，１−５３，１−３４，１−４４，１−５５，１−２５，１−３５，１−４５，１−５６，１−２６のそれぞれへ送信される参照信号２の受信品質を測定する。
【００５８】
図１７に示すビームスポット１−２１，１−３１，１−４１，１−５１，１−２２，１−３２，１−４２，１−５２，１−３３，１−４３，１−５３，１−２３，１−３４，１−４４，１−５４，１−２４，１−５５，１−２５，１−３５，１−４５，１−５６，１−２６，１−３６，１−４６は、４つのビームスポットグループ３に分けられる。図１７に示す例におけるビームスポットグループ３の分け方は、基地局１０が照射する指向性ビームの照射範囲が離散している関係にあるビームスポット１を選択してグルーピングし、他のビームスポットグループ３は先のビームスポットグループ３で選択したそれぞれのビームスポット１に隣接するビームスポット１を含んで順次グルーピングしていく。第１のビームスポットグループ３は、ビームスポット１−２１，１−２２，１−２３，１−２４，１−２５，１−２６から構成される。第２のビームスポットグループ３は、ビームスポット１−３１，１−３２，１−３３，１−３４，１−３５，１−３６から構成される。第３のビームスポットグループ３は、ビームスポット１−４１，１−４２，１−４３，１−４４，１−４５，１−４６から構成される。第４のビームスポットグループ３は、ビームスポット１−５１，１−５２，１−５３，１−５４，１−５５，１−５６から構成される。基地局１０は、ビームスポットグループ３ごとに参照信号を送信する。
【００５９】
この場合、ビームスポット１−２１，１−３１，１−４１，１−５１，１−２２，１−３２，１−３３，１−４３，１−５３，１−２３，１−３４，１−４４，１−５５，１−２５，１−３５，１−４５，１−５６，１−２６へ送信される参照信号２の受信品質を測定するために、基地局１０は、全てのビームスポットグループ３への参照信号を測定するように端末２０に指示する。
【００６０】
図１８は、図１７に示す端末２０が間欠受信モードで動作しているときに、基地局１０が参照信号２を送信するタイミングと、端末２０の状態との第１の例を示す図である。ここでは、基地局１０は、一定の周期で参照信号２を送信している。この場合、端末２０は、参照信号２−２１，２−３１，２−４１，２−５１，２−２２，２−３２，２−４２，２−５２，２−３３，２−４３，２−５３，２−２３，２−３４，２−４４，２−５４，２−２４，２−５５，２−２５，２−３５，２−４５，２−５６，２−２６，２−３６，２−４６の全ての受信品質を測定する。このため、端末２０が起動するための準備処理を行う時間と、端末２０の停止処理を行う時間とが重複するため、端末２０は停止状態となることができず常に起動状態となる。
【００６１】
図１８に示す例では、端末２０が間欠受信モードで動作しているにも関わらず、端末２０が停止状態となることができず、端末２０の消費電力が増大する。そこで、基地局１０が参照信号２を送信するタイミングを連続させることが考えられる。
【００６２】
図１９は、図１７に示す端末２０が間欠受信モードで動作しているときに、基地局１０が参照信号２を送信するタイミングと、端末２０の状態との第２の例を示す図である。ここでは、基地局１０は、一定の周期ではなく、複数の参照信号２を送信するタイミングを連続させている。これにより、端末２０が起動処理を行う時間と停止処理を行う時間とは重複しなくなり、端末２０が停止状態となることができる。したがって、図１８に示す例よりも、端末２０の起動時間Ｔ２が短くなり、端末２０の消費電力を削減することができる。ここで端末２０は、起動周期Ｔ２１で周期的に起動と停止とを繰り返す。
【００６３】
図２０は、本発明の実施の形態１にかかる端末２０が参照信号２を測定するビームスポット１の第３の例を示す図である。図２０に示す例におけるビームスポットグループ３の分け方は、基地局１０が照射する指向性ビームの照射範囲が隣接している関係にある複数のビームスポット１でグルーピングし、他のビームスポットグループ３は先のビームスポットグループ３で構成された照射範囲に隣接する関係にあるビームスポット１を含んで順次グルーピングしていく。ビームスポット１−６１〜１−６６は、第１のビームスポットグループ３を構成し、ビームスポット１−７１〜１−７６は、第２のビームスポットグループ３を構成し、ビームスポット１−８１〜１−８６は、第３のビームスポットグループ３を構成し、ビームスポット１−９１〜１−９６は、第４のビームスポットグループ３を構成している。
【００６４】
この場合、同じビームスポットグループ３を構成している複数のビームスポット１は、隣接している。この状態で、基地局１０は、複数のビームスポットグループ３のうちの隣接するビームスポットグループに参照信号２を送信するタイムスロットを連続させる。なお、本発明では指向性ビームの照射範囲が離散している関係にあるビームスポット１のみでグルーピング、または隣接している関係にあるビームスポット１のみでグルーピングしなければならない制約はなく、ビームスポットグループ３ごとに照射範囲が隣接する関係を含めばよい。
【００６５】
図２１は、図２０に示す端末２０が間欠受信モードで動作しているときに、基地局１０が参照信号２を送信するタイミングと端末２０の状態とを示す図である。この場合、端末２０が在圏しているビームスポット１−７４の周辺１８個のビームスポット１−６１〜１−６６、１−７１〜１−７６、１−８１〜１−８６への参照信号２の受信品質を測定する場合、第１のビームスポットグループ３、第２のビームスポットグループ３、第３のビームスポットグループ３への参照信号２の受信品質を測定すればよく、第４のビームスポットグループ３への参照信号の受信品質を測定する必要はない。このため、図１９に示した例よりも、測定するビームスポットグループ３が１つ減少する。
【００６６】
例えば、参照信号２−６１，２−７１，２−８１，２−９１のうち、端末２０は、参照信号２−６１，２−７１，２−８１の受信品質を測定すればよい。このため、端末２０が信号測定処理を行っている時間Ｔ３２を、図１９に示す例における時間Ｔ２２よりも短くすることができる。このため、端末２０が起動している時間Ｔ３を図１９に示す例における起動時間Ｔ２よりも短くすることができ、端末２０の起動周期Ｔ３１を、図１９に示す例における起動周期Ｔ２１よりも長くすることが可能になる。したがって、端末２０の消費電力をさらに低減することができる。
【００６７】
図２２は、図１に示す端末２０が間欠受信モードに移行するときの基地局１０の動作を示すフローチャートである。前提条件として、対象の端末２０は、基地局１０のカバレッジエリアＣＡ内に在圏しており、間欠受信状態ではないとする。まず基地局１０は、間欠受信モードを通知するモード通知メッセージを端末２０から受信しているか否かを判定する（ステップＳ３０１）。モード通知メッセージを受信している場合（ステップＳ３０１：Ｙｅｓ）、基地局１０は、間欠受信モード用の無線パラメータを作成し、作成した無線パラメータを端末２０に通知する（ステップＳ３０２）。基地局１０が通知する無線パラメータには、例えば、端末２０が測定するビームスポット数、参照信号の測定周期などが含まれる。モード通知メッセージを受信していない場合（ステップＳ３０１：Ｎｏ）、ステップＳ３０２の処理は省略される。
【００６８】
図２３は、図１に示す端末２０が間欠受信モードに移行するときの端末２０の動作を示すフローチャートである。前提条件として、対象の端末２０は、基地局１０のカバレッジエリアＣＡ内に在圏しており、間欠受信状態ではないとする。端末２０は、間欠受信有効化メッセージを基地局１０から受信しているか否かを判断する（ステップＳ４０１）。間欠受信有効化メッセージを受信している場合（ステップＳ４０１：Ｙｅｓ）、端末２０は、続いて間欠受信モードに移行しているか否かの判断をする（ステップＳ４０２）。間欠受信有効化メッセージを受信していない場合（ステップＳ４０１：Ｎｏ）、端末２０は通常モードのまま、以降の処理を省略する。
【００６９】
間欠受信モードに移行している場合（ステップＳ４０２：Ｙｅｓ）、端末２０は、端末２０が間欠受信モードであることを通知するためのモード通知メッセージを基地局１０へ送信する（ステップＳ４０３）。間欠受信モードに移行していない場合（ステップＳ４０２：Ｎｏ）、端末２０は、通常モードのまま、以降の処理を省略する。
【００７０】
モード通知メッセージを基地局１０へ送信した後、端末２０は、基地局１０から無線パラメータを受信したか否かを判断する（ステップＳ４０４）。無線パラメータを受信した場合（ステップＳ４０４：Ｙｅｓ）、基地局１０が指定する参照信号測定周期で端末２０を起動し、指定されたビームスポット１の測定を行う（ステップＳ４０５）。無線パラメータを受信していない場合（ステップＳ４０４：Ｎｏ）、ステップＳ４０５の処理は省略される。
【００７１】
続いて、間欠受信中の端末２０に適用する参照信号２の測定周期について説明する。１つの実施の形態としては、端末２０の初期補足用信号であるサーチビームと、ビームトラッキング用のビームを共通化することが考えられる。このとき、基地局１０ごとに個別に定められるサーチビームの送信周期と、間欠受信中の端末２０が測定する参照信号２の測定周期とは異なる場合がある。
【００７２】
図２４は、図１に示す基地局１０が端末２０の参照信号測定周期を決定する動作を示すフローチャートである。まず基地局１０は、通常モードにおける参照信号測定周期と、間欠受信中に端末２０が測定を行うビームスポット数と、端末２０の移動速度とのうち少なくとも１つに基づいて、間欠受信中の端末２０における参照信号の測定周期を求める。そして基地局１０は、間欠受信中の参照信号測定周期をサーチビームの送信周期で表現できるか否かを判断する（ステップＳ５０１）。
【００７３】
例えば、基地局１０は、間欠受信中の参照信号測定周期がサーチビームの送信周期の倍数であるか否かに基づいて、ステップＳ５０１の判断を行うことができる。間欠受信中の参照信号測定周期をサーチビームの送信周期で表現できない場合（ステップＳ５０１：Ｎｏ）、基地局１０は、間欠受信中の参照信号測定周期を、ステップＳ５０１で求めた値よりも短くして、間欠受信中の参照信号測定周期をサーチビームの送信周期で表現できる値に調整する（ステップＳ５０２）。間欠受信中の参照信号測定周期をサーチビームの送信周期で表現できる場合（ステップＳ５０１：Ｙｅｓ）、ステップＳ５０２の処理は省略される。
【００７４】
図２５は、図１に示す端末２０の参照信号測定周期について説明するための図である。基地局１０は、カバレッジエリアＣＡ内に５つのビームスポットグループ３−１１，３−１２，３−１３，３−１４，３−１５を形成している。基地局１０のカバレッジエリアＣＡ内には、ビームスポットグループ３−１２に端末２０−１、ビームスポットグループ３−１４に端末２０−２、ビームスポットグループ３−１３に端末２０−３が在圏している。端末２０−１，２０−３は間欠受信モードで動作しており、端末２０−２は通常モードで動作している。
【００７５】
図２６は、図２５に示す基地局１０の通信タイミングと端末２０の状態とを示す図である。図２６には、基地局１０がサーチビームを送信する期間１３２７〜１３３７と、データ送受信や参照信号２の送信を行う期間１３２１，１３２２が示されている。端末２０−１は、期間１３３８，１３３９，１３４０，１３４１において、参照信号２の受信品質を測定する。端末２０−３は、期間１３４２，１３４３，１３４４，１３４５，１３４６，１３４７において、参照信号２の受信品質を測定する。
【００７６】
拡大図１３１７を参照すると、サーチビームを送信する期間１３２７は、基地局１０が送信する複数の参照信号２を送信する期間１３０７〜１３１１から構成されている。期間１３０７は、ビームスポットグループ３−１１に参照信号２を送信するための期間である。期間１３０８は、ビームスポットグループ３−１２に参照信号２を送信するための期間である。期間１３０９は、ビームスポットグループ３−１３に参照信号２を送信するための期間である。期間１３１０は、ビームスポットグループ３−１４に参照信号２を送信するための期間である。期間１３１１は、ビームスポットグループ３−１５に参照信号２を送信するための期間である。
【００７７】
複数のビームスポットグループ３−１１〜３−１５のそれぞれへの参照信号２の送信は、繰り返し行われる。期間１３１２，１３１３，１３１４，１３１５，１３１６のそれぞれは、ビームスポットグループ３−１１，３−１２，３−１３，３−１４，３−１５のそれぞれへ参照信号２を送信するための期間である。このサーチビームは、基地局１０のカバレッジエリアＣＡ内に在圏する端末２０の位置を基地局１０が把握するために用いられることもある。
【００７８】
例えば、基地局１０のカバレッジエリアＣＡ内に新たに侵入した端末２０を基地局１０が発見したり、基地局１０のカバレッジエリアＣＡ内でアクティブになった端末２０の在圏位置を基地局１０が発見したりする。基地局１０は、期間１３２１，１３２２において、端末２０とデータの送受信を行う。また、通常モードで動作している端末２０−２は、頻繁にデータの送受信を行うため、最適なスループットが得られるビームスポット１を逐次選択する必要がある。このため、測定するビームスポット１の数を少なくし、基地局１０が端末２０の動きをトラッキングできるようにしている。このため、基地局１０は、通常モードで動作している端末２０−２へ、サーチビームタイミングだけでなく、期間１３２１内の期間１３２３、期間１３２２内の期間１３２５においても参照信号を送信している。なお、参照信号２を送信している期間、サーチビームの送信期間内であっても、基地局１０と端末２０との間でデータの送受信が可能なこともある。
【００７９】
間欠受信中の端末２０−１，２０−３が測定する参照信号の送信周期を、基地局１０が定期的に照射するサーチビームの送信周期に合わせたり、サーチビームの送信周期の倍数としたりすることで、リソースを共有化して、有効利用することが可能になる。具体的には、参照信号送信用のシンボルを減らし、データ送信用のシンボルを増やすことができ、スループットを向上させることができる。
【００８０】
以上説明したように、本発明の実施の形態１によれば、基地局１０は、隣接するビームスポットグループ３のそれぞれに参照信号を送信するタイムスロットを連続させる。このため、端末２０の起動時間を短くして、端末２０の消費電力を低減することが可能になる。
【００８１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００８２】
１，１−１〜１−１５，１−２１〜１−２６，１−３１〜１−３６，１−４１〜１−４６，１-６１〜１-６６，１−７１〜１−７６，１−８１〜１−８６，１−９１〜１−９６  ビームスポット、２，２−１〜２−１３，２−２１〜２−２４，２−３１〜２−３４，２−４１〜２−４４，２−５１〜２−５４，２−６１〜２−６４，２−７１〜２−７４，２−８１〜２−８４，２−９１〜２−９４  参照信号、３，３−１〜３−８，３−１１〜３−１５  ビームスポットグループ、１０  基地局、１１，２１  アンテナ、１２，２２  通信部、１３，２３  復調部、１４，２６  制御部、１５，２７  変調部、１６  ビーム制御部、２０，２０−１，２０−２，２０−３  端末、２４  レベル測定部、２５  処理部、３１  処理回路、３２  送信機、３３  受信機、３４  アンテナ装置、３５  プロセッサ、３６  メモリ、１３０７〜１３１６，１３２１〜１３２５，１３２７〜１３４７  期間、ＣＡ  カバレッジエリア。
【図１】
2019163139.tif 000003
【図２】
2019163139.tif 000004
【図３】
2019163139.tif 000005
【図４】
2019163139.tif 000006
【図５】
2019163139.tif 000007
【図６】
2019163139.tif 000008
【図７】
2019163139.tif 000009
【図８】
2019163139.tif 000010
【図９】
2019163139.tif 000011
【図１０】
2019163139.tif 000012
【図１１】
2019163139.tif 000013
【図１２】
2019163139.tif 000014
【図１３】
2019163139.tif 000015
【図１４】
2019163139.tif 000016
【図１５】
2019163139.tif 000017
【図１６】
2019163139.tif 000018
【図１７】
2019163139.tif 000019
【図１８】
2019163139.tif 000020
【図１９】
2019163139.tif 000021
【図２０】
2019163139.tif 000022
【図２１】
2019163139.tif 000023
【図２２】
2019163139.tif 000024
【図２３】
2019163139.tif 000025
【図２４】
2019163139.tif 000026
【図２５】
2019163139.tif 000027
【図２６】
2019163139.tif 000028
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
指向性ビームの照射範囲であるビームスポット内の端末が受信品質を測定するための参照信号を、複数の前記ビームスポットに送信可能であり、複数の前記ビームスポットのうち１つ以上のビームスポットで構成されるビームスポットグループに同時に前記参照信号を送信可能な通信部と、
複数の前記ビームスポットグループのうち、隣接する前記照射範囲を含む前記ビームスポットグループに前記参照信号を送信するタイムスロットを連続させる制御部と、
を備え、
前記制御部は、間欠受信中の前記端末が測定するビームスポット数を、間欠受信を行っていない通常時よりも増やすことを特徴とする基地局。
【請求項２】
指向性ビームの照射範囲であるビームスポット内の端末が受信品質を測定するための参照信号を、複数の前記ビームスポットに送信可能であり、複数の前記ビームスポットのうち１つ以上のビームスポットで構成されるビームスポットグループに同時に前記参照信号を送信可能な通信部と、
複数の前記ビームスポットグループのうち、隣接する前記照射範囲を含む前記ビームスポットグループに前記参照信号を送信するタイムスロットを連続させる制御部と、
を備え、
前記制御部は、前記端末を間欠受信モードに切り替えることを要求するメッセージに応じて、前記端末が参照信号を測定する測定周期と、前記端末が測定するビームスポット数とを、間欠受信を行っていない通常時とは変えることを特徴とする基地局。
【請求項３】
前記制御部は、前記端末が複数の前記参照信号の受信品質を測定するタイミングを前記端末に通知することを特徴とする請求項１または２に記載の基地局。
【請求項４】
前記制御部は、前記端末に前記参照信号の測定周期を通知するパラメータ変更メッセージを用いて、前記端末に設定される前記測定周期を、複数の前記端末に共通する測定周期に変更させることを特徴とする請求項１または２に記載の基地局。
【請求項５】
前記制御部は、前記端末が前記参照信号を測定する測定周期を、前記端末の初期補足のために前記通信部が定期的に照射するサーチビームの送信周期に基づいて調整することを特徴とする請求項１または２に記載の基地局。
【請求項６】
前記制御部は、前記測定周期を、前記サーチビームの送信周期の倍数とすることを特徴とする請求項５に記載の基地局。
【請求項７】
前記制御部は、前記測定周期が前記サーチビームの送信周期の倍数でない場合、前記測定周期を前記サーチビームの送信周期の倍数となるように調整し、調整後の前記測定周期を前記端末に通知することを特徴とする請求項５または６に記載の基地局。
【請求項８】
前記制御部は、間欠受信中の前記端末が参照信号を測定する測定周期を、前記ビームスポット数の増加数と、前記通常時の測定周期と、前記端末の移動速度とのうちの少なくとも１つに基づいて決定し、決定した前記測定周期を前記端末に通知することを特徴とする請求項１に記載の基地局。
【請求項９】
前記制御部は、ビームスポットグループ単位で、前記端末が測定するビームスポットを通知することを特徴とする請求項２に記載の基地局。
【請求項１０】
前記ビームスポットグループは、前記照射範囲が隣接する複数のビームスポットを含むことを特徴とする請求項１または２に記載の基地局。
【請求項１１】
基地局が、指向性ビームの照射範囲であるビームスポット内の端末が受信品質を測定するための参照信号を、複数のビームスポットに送信するステップと、
前記端末が、前記基地局から通知されるビームスポットに送信される前記参照信号の受信品質を測定して測定結果を前記基地局に送信するステップと、
を含み、
前記基地局は、前記参照信号を複数のビームスポットに送信するとき、同時に前記参照信号を送信する複数の前記ビームスポットから構成される複数のビームスポットグループのうち、隣接する前記照射範囲を含む前記ビームスポットグループに前記参照信号を送信するタイムスロットを連続させ、間欠受信中の前記端末が測定するビームスポット数を、間欠受信を行っていない通常時よりも増やすことを特徴とする無線通信方法。
【請求項１２】
基地局が、端末の使用する無線パラメータを通知するステップと、
基地局が、指向性ビームの照射範囲であるビームスポット内の前記端末が受信品質を測定するための参照信号を、複数のビームスポットに送信するステップと、
前記端末が、前記無線パラメータを用いて前記参照信号の受信品質を測定して測定結果を前記基地局に送信するステップと、
を含み、
前記基地局は、前記参照信号を複数のビームスポットに送信するとき、同時に前記参照信号を送信する複数の前記ビームスポットから構成される複数のビームスポットグループのうち、隣接する前記照射範囲を含む前記ビームスポットグループに前記参照信号を送信するタイムスロットを連続させ、
前記端末を間欠受信モードに切り替えることを要求するメッセージに応じて前記基地局が通知する無線パラメータは、前記端末が参照信号を測定する測定周期と、前記端末が測定するビームスポット数とを、間欠受信を行っていない通常時とは変えることを特徴とする無線通信方法。
【請求項１３】
指向性ビームの照射範囲であるビームスポット内の端末と前記指向性ビームを用いて通信する基地局を制御する制御回路であって、
前記端末に受信品質を測定するビームスポット数を通知するステップと、
前記端末が受信品質を測定するための参照信号を、複数のビームスポットに送信するステップと、
前記端末が測定した前記参照信号の受信品質の測定結果を受信するステップと、
を基地局に実行させ、
前記基地局が前記参照信号を複数のビームスポットに送信するとき、同時に前記参照信号を送信する複数の前記ビームスポットから構成される複数のビームスポットグループのうち、隣接する前記照射範囲を含む前記ビームスポットグループに前記参照信号を送信するタイムスロットを連続させ、
前記基地局が間欠受信中の前記端末に通知するビームスポット数を、間欠受信を行っていない通常時に通知するビームスポット数よりも増やすことを特徴とする制御回路。
【請求項１４】
指向性ビームの照射範囲であるビームスポット内の端末と前記指向性ビームを用いて通信する基地局を制御する制御回路であって、
前記端末が使用する無線パラメータを前記端末に通知するステップと、
前記端末が受信品質を測定するための参照信号を、複数のビームスポットに送信するステップと、
前記端末が前記無線パラメータを用いて測定した前記参照信号の受信品質の測定結果を受信するステップと、
を前記基地局に実行させ、
前記基地局が前記参照信号を複数のビームスポットに送信するとき、同時に前記参照信号を送信する複数の前記ビームスポットから構成される複数のビームスポットグループのうち、隣接する前記照射範囲を含む前記ビームスポットグループに前記参照信号を送信するタイムスロットを連続させ、
前記端末を間欠受信モードに切り替えることを要求するメッセージに応じて前記基地局が通知する前記無線パラメータに含まれる、前記端末が参照信号を測定する測定周期と、前記端末が測定するビームスポット数とを、間欠受信を行っていない通常時とは変えることを特徴とする制御回路。
【請求項１５】
指向性ビームの照射範囲であるビームスポット内の端末と前記指向性ビームを用いて通信する基地局を制御するためのプログラムを記憶した記憶媒体において、該プログラムは、
前記端末に受信品質を測定するビームスポット数を通知するステップと、
前記端末が受信品質を測定するための参照信号を、複数のビームスポットに送信するステップと、
前記端末が測定した前記参照信号の受信品質の測定結果を受信するステップと、
を前記基地局に実行させ、
前記基地局が前記参照信号を複数のビームスポットに送信するとき、同時に前記参照信号を送信する複数の前記ビームスポットから構成される複数のビームスポットグループのうち、隣接する前記照射範囲を含む前記ビームスポットグループに前記参照信号を送信するタイムスロットを連続させ、
前記基地局が間欠受信中の前記端末に通知するビームスポット数を、間欠受信を行っていない通常時に通知するビームスポット数よりも増やすことを特徴とする記憶媒体。
【請求項１６】
指向性ビームの照射範囲であるビームスポット内の端末と前記指向性ビームを用いて通信する基地局を制御するためのプログラムを記憶した記憶媒体において、該プログラムは、
前記端末が使用する無線パラメータを前記端末に通知するステップと、
前記端末が受信品質を測定するための参照信号を、複数のビームスポットに送信するステップと、
前記端末が前記無線パラメータを用いて測定した前記参照信号の受信品質の測定結果を受信するステップと、
を前記基地局に実行させ、
前記基地局が前記参照信号を複数のビームスポットに送信するとき、同時に前記参照信号を送信する複数の前記ビームスポットから構成される複数のビームスポットグループのうち、隣接する前記照射範囲を含む前記ビームスポットグループに前記参照信号を送信するタイムスロットを連続させ、
前記端末を間欠受信モードに切り替えることを要求するメッセージに応じて前記基地局が通知する前記無線パラメータに含まれる、前記端末が参照信号を測定する測定周期と、前記端末が測定するビームスポット数とを、間欠受信を行っていない通常時とは変えることを特徴とする記憶媒体。
【手続補正３】
【補正対象書類名】明細書
【補正対象項目名】０００７
【補正方法】変更
【補正の内容】
【０００７】
上述した課題を解決し、目的を達成するために、本発明の基地局は、指向性ビームの照射範囲であるビームスポット内の端末が受信品質を測定するための参照信号を、複数のビームスポットに送信可能であり、複数のビームスポットのうち１つ以上のビームスポットで構成されるビームスポットグループに同時に参照信号を送信可能な通信部と、複数のビームスポットグループのうち、隣接する照射範囲を含むビームスポットグループに参照信号を送信するタイムスロットを連続させる制御部と、を備える。制御部は、間欠受信中の端末が測定するビームスポット数を、間欠受信を行っていない通常時よりも増やすことを特徴とする。
【国際調査報告】
2019163139.tif 000029
2019163139.tif 000030
2019163139.tif 000031
2019163139.tif 000032